(57)【特許請求の範囲】
【請求項１】
第１の基材の一方の面に少なくとも第１の情報を形成する工程と、
第２の基材の一方の面に第１の剥離層を形成する工程と、
前記第１の剥離層上に絵柄層を形成する工程と、
前記絵柄層上に少なくとも、前記第１の基材上に形成した前記第１の情報を隠蔽するための第１の隠蔽層を形成する工程と、
前記第１の隠蔽層上に第２の剥離層を形成する工程と、
前記第２の剥離層及び前記絵柄層を覆うように接着層を形成する工程と、
前記第１の基材上に形成した前記第１の情報を前記第２の基材上に形成した前記第１の隠蔽層が覆うように前記第２の基材上に形成した前記接着層を介して前記第１の基材と前記第２の基材とを貼合接着する工程と、
前記第２の基材の前記第１の剥離層から剥離することにより、前記第１の基材上に、少なくとも、前記絵柄層、前記第１の隠蔽層及び前記第２の剥離層を転写する工程とを有し、
前記第１の情報を形成する工程が、第２の情報を形成する工程を含み、
前記第１の隠蔽層を形成する工程が、前記第２の情報を隠蔽する第２の隠蔽層を形成する工程を含み、
前記第２の剥離層を形成する工程が、前記第２の隠蔽層に対応する領域に第３の剥離層を形成する工程を含むことを特徴とするくじ券の製造方法。
【請求項２】
第１の基材の一方の面に少なくとも第１の情報を形成する工程と、
第２の基材の一方の面に少なくとも第２の剥離層を形成する工程と、
前記第２の剥離層上に前記第１の基材上に形成した前記第１の情報を隠蔽するための第１の隠蔽層を形成する工程と、
前記第２の基材及び前記第１の隠蔽層を覆うように絵柄層を形成する工程と、
前記第２の基材のもう一方の面に接着層を形成する工程と、
前記第１の基材上に形成した前記第１の情報を、前記第２の基材上に形成した前記第１の隠蔽層が覆うように前記第２の基材のもう一方の面に形成した前記接着層を介して前記第１の基材と前記第２の基材とを貼合接着することにより、前記第１の基材に前記第２の剥離層、前記第１の隠蔽層及び前記絵柄層を形成する工程とを有することを特徴とするくじ券の製造方法。
【請求項３】
前記第１の基材は、基紙又はプラスチックフィルムからなることを特徴とする請求項１又は２のいずれか１項に記載のくじ券の製造方法。
【請求項４】
前記第２の基材は、透明又は半透明のプラスチックフィルムからなることを特徴とする請求項１又は２のいずれか１項に記載のくじ券の製造方法。
【請求項５】
前記第２の情報は、前記くじ券の真偽を認証するための情報であることを特徴とする請求項１に記載のくじ券の製造方法。
【請求項６】
第１の基材と、
前記第１の基材上の一方の面に設けられた第１の情報と、
前記第１の情報を覆う接着層と、
前記接着層上に前記第１の情報を覆うように設けられた第２の剥離層と、
前記第２の剥離層を覆うように設けられた第１の隠蔽層と、
前記第１の隠蔽層と前記第１の基材とを覆うように設けられた絵柄層とを有し、
前記第１の基材の一方の面に少なくとも前記第１の情報の他に第２の情報を設け、
前記第２の情報を覆うように第３の剥離層を設け、
前記第３の剥離層上に前記第２の情報を隠蔽する第２の隠蔽層を設けたことを特徴とするくじ券。
【請求項７】
前記第１の基材は、基紙又はプラスチックフィルムからなることを特徴とする請求項６に記載のくじ券。
【請求項８】
前記第２の情報は、前記くじ券の真偽を認証するための情報であることを特徴とする請求項６又は７のいずれか１項に記載のくじ券。
【請求項９】
前記接着層と前記第２の剥離層との間に、透明又は半透明のプラスチックフィルムからなる第２の基材を有することを特徴とする請求項６乃至８のいずれか１項に記載のくじ券。
【発明の詳細な説明】
【０００１】
【発明の属する技術分野】
本発明はくじ券の製造方法及びくじ券に係わり、さらに詳しくは、スクラッチオフ方式のくじ券の製造方法及びくじ券に関する。
【０００２】
【従来の技術】
従来から、用紙の表面に、不透明の塗膜で被覆隠蔽された「当たり」「はずれ」などの情報を確認できる文字やマークなどの情報が印刷され、この上に用紙の一部又は全面にわたって絵柄が印刷されたスクラッチオフ方式のくじ券が知られている。
【０００３】
従来、このくじ券は、まず、用紙上に「当たり」「はずれ」を確認できる情報を印刷し、その後、この情報を隠蔽する隠蔽層を印刷し、次いで、用紙の一部又は全面に複数の色のインキを使ってカラーの絵柄を印刷することによって製造される。
このくじ券の製造工程において、特に、絵柄の印刷工程ではカラーの絵柄を印刷するので、例えば５〜６色のインキ層を積層して印刷する必要がある。このため、所定の色のインキ層を印刷できる直列に並んだ複数のユニットをもつ多色印刷機を使ってカラーの絵柄を印刷している。
【０００４】
【発明が解決しようとする課題】
例えば、ある種類のくじ券の製造が終わって、他の種類のくじ券を製造する場合、ある種類のくじ券と他の種類のくじ券とでは絵柄が異なるので多色印刷機の各ユニットのインキ及び印刷版は、他の種類のくじ券のカラー絵柄に対応するように変えられる。
【０００５】
この時点で、何らかの不都合、例えば、隠蔽層に傷が入ったなどの理由により、少数の枚数を追加で補充印刷しなければならない場合がある。
このような場合、多色印刷機を用いて補充印刷をしなければならないが、少枚数の補充印刷をするために量産中の他の種類のくじ券の製造を一旦中止して補充印刷を行うと、他の種類のくじ券の納期が遅れることになるとともに、多色印刷機の稼働時間が短くなり生産効率が低下することになる。
【０００６】
本発明は上記の問題点を鑑みて創作されたものであり、生産効率を低下させないでくじ券の補充印刷を効率よく行うことができるくじ券の製造方法及びくじ券を提供することを目的とする。
【０００７】
【課題を解決するための手段】
上記した課題は、図１及び図２に例示するように、第１の基材の一方の面に少なくとも第１の情報を形成する工程と、第２の基材の一方の面に第１の剥離層を形成する工程と、前記第１の剥離層上に絵柄層を形成する工程と、前記絵柄層上に少なくとも、前記第１の基材上に形成した前記第１の情報を隠蔽するための第１の隠蔽層を形成する工程と、前記第１の隠蔽層上に第２の剥離層を形成する工程と、前記第２の剥離層及び前記絵柄層を覆うように接着層を形成する工程と、前記第１の基材上に形成した前記第１の情報を前記第２の基材上に形成した前記第１の隠蔽層が覆うように前記第２の基材上に形成した前記接着層を介して前記第１の基材と前記第２の基材とを貼合接着する工程と、前記第２の基材の前記第１の剥離層から剥離することにより、前記第１の基材上に、少なくとも、前記絵柄層、前記第１の隠蔽層及び前記第２の剥離層を転写する工程とを有し、前記第１の情報を形成する工程が、第２の情報を形成する工程を含み、前記第１の隠蔽層を形成する工程が、前記第２の情報を隠蔽する第２の隠蔽層を形成する工程を含み、前記第２の剥離層を形成する工程が、前記第２の隠蔽層に対応する領域に第３の剥離層を形成する工程を含むことを特徴とするくじ券の製造方法によって解決される。
【０００８】
本発明によれば、くじ券を構成する、第１の情報３６、第２の剥離層１９、第１の隠蔽層１８及び絵柄層１６のうち、第１の情報３６をくじ券の基材となる第１の基材３０上に直接形成し、第２の剥離層１９と第１の隠蔽層１８と絵柄層１６とを転写できる状態で第１基材とは別の第２の基材１０上に形成し、第２の剥離層１９と第１の隠蔽層１８と絵柄層１６とを第１の基材３０に転写してくじ券を製造する。
【０００９】
ある種類のくじ券の少枚数を何らかの都合で追加で補助印刷しなければならない場合、予め、絵柄層１６、第１の隠蔽層１８及び第２の剥離層１９を第２の基材上に剥離可能な状態で形成しておけば、くじ券の基材となる第１の基材３０上に第１の情報を印字し、第２の基材１０上の絵柄層１６、第１の隠蔽層１８及び第２の剥離層１９を第１の基材３０に転写により形成することによりくじ券の補助印刷を行うことができる。
【００１０】
このような製造方法を用いないと、製造が終わったある種類のくじ券の絵柄層が例えば複数の色のインキ層からなって多色印刷機を使用する必要がある場合、他の品種のくじ券の製造で使用している多色印刷機を一旦停止し、多色印刷機の各ユニットのインキや印刷版をある品種の絵柄になるように変えて補助印刷をする必要がある。
【００１１】
しかしながら、本発明では、例えば、多色印刷機を用いて印刷する絵柄層などを予め他の基材に製造しておくので、少枚数の補助印刷のために他の品種のくじ券の製造で使用している多色印刷機を一旦停止する必要がなくなる。
従って、くじ券の補助印刷を工場全体の生産効率を下げないで、効率よく行うことができるようになる。
【００１２】
また、上記したくじ券の製造方法において、前記第１の情報３６を形成する工程が、第２の情報３６ａを形成する工程を含み、前記第１の隠蔽層１８を形成する工程が、前記第２の情報３６ａを隠蔽する第２の隠蔽層１８ａを形成する工程を含み、前記第２の剥離層１９を形成する工程が、前記第２の隠蔽層１８ａに対応する領域に第３の剥離層１９ａを形成する工程を含むことを特徴とする。
【００１３】
例えば、第１の情報３６がくじ券の「当たり」「はずれ」を特定する情報になり、第２の情報３６ａがくじ券の真偽を認証する固有の情報になるようにして第１の情報３６を形成する工程で同時に第２の情報３６ａを形成する。これにより、くじ券の真偽を認証する第２の情報３６ａを備えたくじ券を、製造工程を増加させることなく製造することができる。
【００１４】
このようにして製造されたくじ券は、くじ券の「当たり」「はずれ」を特定する第１の情報３６とくじ券の真偽を認証する第２の情報３６ａとを有し、第２の隠蔽層１９ａを除去して第２の情報３６ａを視認することにより、このくじ券が本物か又は偽造されたものかを容易に判定することができる。
なお、上記した図番、符号は発明の理解を容易にするために引用されたものであって、本発明を限定するものではない。
【００１５】
【発明の実施の形態】
以下、本発明の実施の形態について、添付の図面を参照しながら説明する。
（第１の実施の形態）
図１及び図２は本発明の実施の形態のくじ券の製造方法を示す断面図である。
図１（ａ）に示すように、まず  第２の基材の実施の形態であるプラスチックフィルム１０を用意し、この表面上に第１の剥離層１２を形成する。この第１の剥離層１２は、例えば、アクリル変成シリコン樹脂（信越化学社製：ＫＳ−８８２とＣＡＴ−ＰＳ−８０を反応させたもの）と、バインダ（積水化学社製：ポリビニルブチラールＢＬ−１）と、メチルエチルケトンとトルエンとからなる溶剤とを成分とするものを用いることができる。この第１の剥離層１２は、ＫＳ−８８２の添加量が多いと剥離しやすい特性をもち、ＣＡＴ−ＰＳ−８０の添加量が多いと剥離しにくい特性をもつようになる。
【００１６】
なお、プラスチックフィルム１０の材料として、ポリプロピレン（ＰＰ）、ポリエチレン（ＰＥ）又はポリエチレンテレフタレート（ＰＥＴ）などを使用することができる。
その後、第１の剥離層１２の上に保護層１４を形成する。
次いで、図１（ｂ）に示すように、保護層１４の上に絵柄層１６を印刷する。この絵柄層１６はくじ券の遊戯方法を連想させるもので構成され、利用者を楽しませるため複数の色のインキ層を積層したカラー印刷で形成される。
【００１７】
この絵柄の色が、例えば、イエロー、マゼンタ、シアン、ブラック、蛍光ピンクを使用する場合、多色印刷機の５個のユニットが使用され、このユニットにはそれぞれこれらの色のインキが備えられる。そして、プラスチックフィルム１０を多色印刷機の５個のユニットを通過させることにより、所定のカラーの絵柄を印刷することができる。
【００１８】
次いで、図１（ｃ）に示すように、絵柄層１６の上に、例えばアルミニウム粉などを含む銀色の不透明な塗膜を塗工して第１の隠蔽層１８と第２の隠蔽層１８ａとを形成する。この第１の隠蔽層１８と第２の隠蔽層１８ａとはそれぞれ後に説明する第情報と第２の情報とを覆う位置に形成される。なお、第１の隠蔽層１８及び第２の隠蔽層１８ａも上記の多色印刷機の一部のユニット内で絵柄層１６を印刷したあと連続して印刷するようにするのが好ましい。
【００１９】
次いで、第１の隠蔽層１８上に第２の剥離層１９を、第２の隠蔽層１８ａ上に第３の剥離層１９ａを形成する。
なお、第２の剥離層１９と第３の剥離層１９ａとは、それぞれ、第１の隠蔽層１８と第２の隠蔽層１８ａとがスムーズに剥離できるように形成されたものであって、上記した第１の剥離層１２は下記で説明するように第２の基材上に形成された転写層を第１の基材に転写するためのものであり、両者は機能が異なっている。
【００２０】
次いで、第２の剥離層１９、第３の剥離層１９ａ及び保護層１６が露出した領域上に、熱硬化型の接着剤を塗布して接着層２０を形成する。このとき、第１及び第２の隠蔽層１８，１８ａと第２及び第３の剥離層１９，１９ａとで形成された段差が平坦化されるような膜厚で接着層２０を形成するのが好ましい。
このようにして、保護層１４、絵柄層１６、第１及び第２の隠蔽層１８，１８ａ、第２及び第３の剥離層１９，１９ａ及び接着層２０からなる転写層３８を有するプラスチックフィルム１０を製造することで、転写体２２が得られる。
【００２１】
次に、プラスチックフィルム１０上の転写層３８が転写される第１の基材であるくじ券の基材の製造方法を説明する。
図２（ａ）に示すように、まず、第１の基材の実施の形態の一つである、例えば化学パルプを７０％以上含有する基紙３０を用意し、基紙３０の表面に単純な絵柄が印刷された下地層３４を印刷で形成する。
【００２２】
その後、下地層３４上にくじ券の「当たり」「はずれ」を示す第１の情報３６とくじ券が本物であるかどうかを認証する第２の情報３６ａとを同時に印字又は印刷する。また、同時にくじ券の整理番号（図示せず）を印字又は印刷してもよい。
次いで、基紙３０の裏側にくじの等級、それに対応する注意書き３２などを印刷して形成する。
【００２３】
このようにして、表面に第１及び第２の情報３６，３６ａが形成され、裏面に注意書き３２などが印刷された基紙３０からなる被転写体３７を製造することができる。なお、基紙３０の代わりにプラスチックフィルムを用いても同様のものを製造することができる。
次に、プラスチックフィルム１０上に形成された転写層３８を基紙３０の第１及び第２の情報３６，３６ａが形成された面に転写する方法を説明する。
【００２４】
図２（ｂ）に示すように、まず、基紙３０上の第１及び第２の情報３６，３６ａが形成されている面とプラスチックフィルム１０の接着層２０が形成されている面とを対向させ、第１の隠蔽層１８が第１の情報３６を、第２の隠蔽層１８ａが第２の情報３６ａをそれぞれ覆うようにして配置させる。
その後、プラスチチックフィルム１０側から加熱加圧することにより接着層２０を硬化させ、接着層２０と、第１、第２の情報３６，３６ａ及び下地層３４とを接着させ、基紙３０とプラスチックフィルム１０とを貼り合わせる。
【００２５】
次いで、プラスチックフィルム１０を引き剥がす。このとき、第１の剥離層１２と保護層１４との密着強度が、第１の剥離層１２とプラスチックフィルム１０との密着強度より弱くなっているので、第１の剥離層１２と保護層１４との界面ではがれ、転写層３８が基紙３０に転写される。
このようにして、基紙３０を含む被転写体３７に転写体３８が転写されて、図２（ｃ）に示すような構造のくじ券４２を製造することができる。
【００２６】
図３は図２（ｃ）のくじ券の表面側Ａ部から第１及び第２の情報３６，３６ａを透視した部分透視図である。
図３に示すように、図２（ｃ）のくじ券４２に備えられた第１の情報３６は例えばローマ数字の「ＩＶ」であり、第２の情報３６ａは例えばアルファベットの「Ｚ」であり、斜線部全面、すなわち、第１及び第２の情報３６，３６ａ上の領域も含めて絵柄層１６が形成されている。第１の情報３６は、くじ券の「当たり」「はずれ」を特定する情報であり、第２の情報３６は、くじ券が本物であるかどうかを認証する情報である。
【００２７】
「ＩＶ」が配置されている領域上に形成された、保護層１４、絵柄層１６及び第１の隠蔽層１８をコインなどでスクラッチすると、これらの下には第２の剥離層１９があるので、これらの層がスムーズにスクラッチされる。
そして、第２の剥離層１９及び接着剤層２０を介して「ＩＶ」からなる第１の情報３６を視認することができ、くじ券４２の「当たり」「はずれ」の情報を特定することができる。
【００２８】
同様に、「Ｚ」が配置されている領域上に形成された、保護層１４、絵柄層１６及び第２の隠蔽層１８ａをスクラッチすると、第３の剥離層１９ａ及び接着層２０を介して「Ｚ」からなる第２の情報３６ａを視認することができる。この第２の情報３６ａである「Ｚ」は、このくじ券が本物であることを認証する情報であり、この種類のくじ券の全数にわたって備えられている。なお、ある種類のくじ券の間で第２の情報が異なった種類の文字やマークなどからなるようにしてもよいし、さらに第３の情報を備え、くじ券の認証情報を増やした形態にしてもよい。
【００２９】
第１の実施の形態のくじ券４２の製造方法の特徴は、くじ券を構成する層のうち、多色印刷機を使用する工程、すなわち、複数の色のインキ層を積層して形成する絵柄層１６や第１及び第２の隠蔽層１８，１８ａを、予めくじ券の基紙３０とは違う、別のプラスチックフィルム１０上に形成しておく点にある。
本実施の形態のくじ券の製造方法を使用しない場合、次のような問題が生じる。例えば、ある種類のくじ券の量産が終了したあと、数枚のくじ券の隠蔽層に傷が入っていることが判明したりしたときなどに、このくじ券の数枚を追加で補充印刷する必要がある。
【００３０】
しかしながら、この時点では、第１及び第２の隠蔽層１８，１８ａや絵柄層１６を印刷する多色印刷機は、すでに、他の種類のくじ券の量産に適用されているのが一般的である。そして、他の種類のくじ券の絵柄層１６は、一般的に、補充印刷が必要になったくじ券とは異なっているので、他の種類のくじ券を量産している多色印刷機を一旦止めて、ある種類のくじ券のカラー絵柄の印刷に適合するように多色印刷機の各ユニットが備えるインキ及び印刷版を元に戻す必要がある。
【００３１】
すなわち、他の種類のくじ券の納期が遅れるとともに、多色印刷機の稼働率が悪くなり、工場全体の生産性の低下を招くという問題が発生する。
本実施の形態のくじ券４２の製造方法によれば、まず、量産が終了した複数の種類のくじ券において、予め、補充印刷が必要になる枚数を予測しておき、この枚数に基づいてプラスチックフィルム１０上に絵柄層１６や第１及び第２の隠蔽層１８，１８ａなどをくじ券になる基紙３０に転写できるような状態で製造しておく。
【００３２】
その後、補充印刷が必要と判明した時点で、基紙３０の表面に下地層３４及び第１及び第２の情報３６，３６ｂを、裏面に注意書き３２などを印刷する。これらの層は、複雑なカラー印刷で形成される層ではなく、多色印刷機を使用する必要がないので、これらの層の印刷によって工場の生産性が低下することはない。
次いで、この基紙３０上に、予めプラスチックフィルム１０上に形成しておいた絵柄層１６や第１及び第２の隠蔽層１８，１８ａなどを転写により形成すれば、他の種類のくじ券の量産に適用している多色印刷機を無理やり止める必要がなくなる。
【００３３】
以上のように、本実施の形態のくじ券の製造方法を適用することにより、量産が終了したくじ券のごく少量の補充印刷を工場の生産性を低下させずに、効率よく行うことができるようになる。
また、くじ券が本物であることを認証する第２の情報を、くじ券の「当たり」「はずれ」を示す第１の情報を形成する工程で同時に形成するので、偽造されにくいくじ券を容易に製造することができる。
【００３４】
（第２の実施の形態）
図４は本発明の第２の実施の形態のくじ券の製造方法を示す断面図である。
本実施の形態のくじ券の製造方法が第１の実施の形態と異なる点は、プラスチックフィルム上に形成された隠蔽層や絵柄層などの層をくじ券の基紙に転写するのではなく、プラスチックフィルム上に隠蔽層や絵柄層などを形成し、これを基紙に貼り付ける点である。
【００３５】
図４（ａ）に示すように、まず、第２の基材として、プラスチックフィルム１０ａを用意し、プラスチックフィルム１０ａの表面上に、第２の剥離層１９ｂと第３の剥離層１９ｃとを形成する。
その後、第２の剥離層１９ｂ上に第１の隠蔽層１８ｂを、第３の剥離層１９ｃ上には第２の隠蔽層１８ｃをそれぞれ形成する。
【００３６】
次いで、第１及び第２の隠蔽層１８ｂ，１８ｃ上及びプラスチックフィルム１０ａ上に絵柄層１６ｂを形成する。
このとき、第１の実施の形態と同様に、第１及び第２の隠蔽層１８ｂ，１８ｃと絵柄層１６ａとが多色印刷機により形成される。
続いて、絵柄層１６ａ上にこれを保護するための保護層１４ａを形成する。
【００３７】
その後、プラスチックフィルム１０ａの裏面に熱硬化型の接着剤を塗布して接着層２０ａを形成する。
このようにして、くじ券を構成する第１の積層体２２ａが製造される。
次いで、図４（ｂ）に示すように、第１の実施の形態と同様に、第１の基材として、くじ券になる基紙３０ａを用意し、この基紙３０ａの表面に下地層３４ａを形成し、下地層３４ａ上に第１の情報３６ｂと第２の情報３６ｃを印字又は印刷し、裏面に注意書き３２ａなどを印字又は印刷して形成する。
【００３８】
このようにして、くじ券を構成する第２の積層体３７ａが製造される。
次いで、図４（ｃ）に示すように、プラスチックフィルム１０ａの接着層２０ａが形成された面と基紙３０ａの第１及び第２の情報３６ｂ，３６ｃが形成された面とが対向するように配置させる。続いて、第１の実施の形態と同様な方法で、接着層２０ａを硬化させて第１の積層体２２ａと第２の積層体３７ａとを貼り合わせる。
【００３９】
このようにして、第２の実施の形態のくじ券４２ａを製造することができる。
第２の実施の形態のくじ券の製造方法で製造されたくじ券４２ａは、第１の情報３６ｂ上の保護層１４ａ、絵柄層１６ａ及び第１の隠蔽層１８ｂをスクラッチすることにより、第２の剥離層１９ｂ、プラスチックフィルム１０ａ及び接着層２０ａを介して第１の情報３６ｂを視認することができ、くじ券４２ａの「当たり」「はずれ」の情報を特定することができる。
【００４０】
また、第２の情報３６ｃは、第１の実施の形態と同様に、くじ券が本物がどうかを認証するための情報であり、第２の情報３６ｃ上の保護層１４ａ、絵柄層１６ａ及び第２の隠蔽層１８ｃをスクラッチすることにより、第２の情報３６ｃを視認することができ、くじ券が本物かどうかを判定することができる。
このように、プラスチックフィルム１０ａを介して第１及び第２の情報３６ｂ，３６ｃを視認するので、プラスチックフィルム１０ａは透明であることが好ましいが、半透明のものも使用することができる。
【００４１】
本実施の形態のくじ券の製造方法は、第１の実施の形態と同様の作用、効果を奏するとともに、必要な層のみを転写するのではなく、第１及び第２の隠蔽層１８ｂ，１８ｃや絵柄層１６ｂなどが形成されたプラスチックフィルム１０ａ自体を基紙３０ａに貼り付けるので、第１の実施の形態の第１の剥離層を形成する工程や転写層を転写する工程を省略することができる。
【００４２】
また、本実施の形態のくじ券の製造方法で製造されたくじ券４２ａは、基紙３０ａとプラスチックフィルム１０ａとの２種類の基材からなるので、物理的強度を向上させることができるとともに、耐水性を向上させることができる。
これにより、くじ券を誤って洗濯した場合でもくじ券の破損を防止することができる。
【００４３】
（第３の実施の形態）
図５は、第３の実施の形態のくじ券の製造方法を示す断面図、図６（ａ）は図５（ｄ）のくじ券４２ｂを表面側Ｂ部から観察した概略平面図、図６（ｂ）は図６（ａ）のくじ券の隠蔽層を除去したあとの様子を示す概略平面図である。
第３の実施の形態が、第２の実施の形態と異なる点は、第２の情報を隠蔽層をスクラッチして視認するのではなく、プラスチックフィルムの所定の位置にミシン目を形成しておき、このミシン目を破ってプラスチックフィルムを剥がすことにより第２の情報を視認するようにしたことである。また、第２の情報をくじ券の真偽を認証する情報にしたのではなく、他の情報、例えば割り引き情報などにしたことである。
【００４４】
第３の実施の形態のくじ券の製造方法は，図５（ａ）に示すように、まず、プラスチックフィルム１０ｂの表面上の所定の領域に第２の剥離層１９ｄを形成する。
その後、第２の剥離層１９ｄ上に第１の隠蔽層１８ｄを形成し、これと同時にプラスチックフィルム１０ｂ上の第２の剥離層１９ｄが形成されていない領域に第２の隠蔽層１８ｅを形成する。
【００４５】
次いで、第２の実施の形態と同様な方法で、第１及び第２の隠蔽層１８ｄ，１８ｅ上及びプラスチックフィルム１０ｂ上に絵柄層１６ｂを多色印刷機で印刷し、その後、絵柄層１６ｂ上に保護層１４ｂを形成する。
次いで、図５（ｂ）に示すように、プラスチックフィルム１０ｂの裏面上に、第２の隠蔽層１８ｅが形成されている領域に対応するように第３の剥離層１９ｅを形成する。
【００４６】
次いで、プラスチックフィルム１０ｂの裏面上に第３の剥離層１９ｅを覆うようにして接着層２０ｂを形成する。
このようにして、くじ券を構成する第１の積層体２２ｂが製造される。
次いで、図５（ｃ）に示すように、基紙３０ｂを用意し、基紙３０ｂの表面に下地層３４ｂを形成する。その後、プラスチックフィルム１０ｂの第１の隠蔽層１８ｄの領域に対応する基紙３０ｂの表面に第１の情報３６ｄを、プラスチックフィルム１０ｂの第２の隠蔽層１８ｅの領域に対応する基紙３０ｂの表面に第１の情報３６ｅをそれぞれ形成する。
【００４７】
次いで、プラスチックフィルム１０ｂの裏面にくじ券の注意書き３２ｂなどを印刷する。
次いで、図５（ｄ）に示すように、第２の実施の形態と同様な方法で、第１の積層体２２ｂの接着層２０ｂ側の面と第２の積層体３７ｂの第１及び第２の情報３６ｄ，３６ｅ側の面とを貼り合わせる。このとき、第１の情報３ｄと第２の情報３６ｅは、それぞれ、第１の隠蔽層１８ｄと第２の隠蔽層１８ｅにより隠蔽されるようにして配置される。
【００４８】
次いで、第１の隠蔽層１８ｄと第２の隠蔽層１８ｅとの間の領域のプラスチックフィルム１０ｂにミシン目を形成する。このとき、ミシン目がプラスチックフィルム１０ｂの裏面の第３の剥離層１９ｅの第１の情報３６ｄ側の端部に到達するようにしてミシン目を形成する。
このようにして、図５（ｄ）に示すような第３の実施の形態のくじ券４２ｂを製造することができる。
【００４９】
図６（ａ）に示すように、第３の実施の形態のくじ券４２ｂは中央部にミシン目が形成されたくじ券であって、くじ券を入手した時点では、絵柄層１６ｂ（斜線部）の下に、第１の隠蔽層１８ｄと第２の隠蔽層１８ｅとが形成されているので、第１の情報３６ｄ及び第２の情報３６ｅを視認することができないようになっている。
【００５０】
次に、このくじ券の遊戯方法を説明する。
まず、図６（ｂ）に示すように、第１の隠蔽層１８ｄの領域をコインなどでスクラッチすると、第２の剥離層１９ｄ、プラスチックフィルム１０ｂ及び接着層２０ｂを介して歯車型のマークからなる第１の情報３６ｄを視認することができる。第３の実施の形態においても、第１の情報３６ｄはくじ券の「当たり」「はずれ」を示す情報であり、情報の種類によって、それに対応する賞金などを予め決めておけばよい。
【００５１】
その後、第２の隠蔽層１８ｅの下にある第２の情報３６ｅを次のような方法で視認する。プラスチックフィルム１０ｂに形成されたミシン目を破り、プラスチックフィルム１０ｂを基紙３０ｂに向かって左側に引き剥がすと、第３の剥離層１９ｅと接着層２０ｂの界面から剥がれる。
すなわち、図５（ｄ）のミシン目が形成された領域から、向かって左側のプラスチックフィルム１０ｂと第３の剥離層１９ｅが除去され、接着層２０ｂを介して第１の情報３６ｄとは違う歯車型のマークからなる第２の情報を３６ｅを視認することができる。
【００５２】
本実施の形態のくじ券の第２の情報３６ｅは、例えば、第１の情報３６ｄを視認してくじにはずれたとしても、再度、第２の情報を視認してくじに挑戦できるようにしてもよいし、商店街などで配布されるくじ券に利用する場合は、第２の情報を買い物の割り引き情報などを示す情報にしてもよい。
本実施の形態においても、第２の実施の形態と同様な作用、効果を奏するとともに、ゲーム性の高いくじ券を容易に製造することができるようになる。
【００５３】
以上、第１、第２及び第３の実施の形態により、この発明の詳細を説明したが、この発明の範囲は上記実施の形態に具体的に示した例に限られるものではなく、この発明を逸脱しない要旨の範囲の上記実施の形態の変更はこの発明の範囲に含まれる。
例えば、絵柄層としては、絵柄の他に、文字、マーク、図柄、模様、コメント文、記号などの印刷できるものであれば何でもよい。
【００５４】
また、プラスチックフィルム側に接着層を形成して基紙と貼り合わせる方法を例示したが、基紙側に接着層を形成してプラスチックフィルムと貼り合わせるようにしてもよい。
【００５５】
【発明の効果】
以上説明したように、本発明によれば、くじ券を構成する、第１の情報、第２の剥離層、第１の隠蔽層及び絵柄層のうち、第１の情報をくじ券の基材となる第１の基材上に直接形成し、第２の剥離層と隠蔽層と絵柄層とを転写できる状態で第１基材とは別の第２の基材上に形成し、第２の剥離層と隠蔽層と絵柄層とを第１の基材に転写してくじ券を製造する。
【００５６】
これにより、例えば、多色印刷機を用いて印刷する絵柄層などを予め他の基材に製造しておくことにより、少枚数の補助印刷のために他の品種のくじ券の製造で使用している多色印刷機を一旦停止する必要がなくなる。従って、くじ券の補助印刷を工場全体の生産効率を下げないで、効率よく行うことができるようになる。
【００５７】
また、第１の情報を形成する工程で同時に第２の情報を形成して、例えば、第１の情報をくじ券の「当たり」「はずれ」を特定する情報にし、第２の情報をくじ券の真偽を認証する固有の情報にする。
これにより、くじ券の「当たり」「はずれ」を特定する第１の情報とくじ券の真偽を認証するための第２の情報とを有するくじ券を、製造工程を増加させることなく容易に製造することができる。また、第２の情報を視認することにより、このくじ券が本物か又は偽造されたものかを容易に判定することができるようになる。
【図面の簡単な説明】
【図１】（ａ）〜（ｃ）は本発明の第１の実施の形態のくじ券の製造方法を示す断面図（その１）である。
【図２】（ａ）〜（ｃ）は本発明の第１の実施の形態のくじ券の製造方法を示す断面図（その２）である。 
【図３】図２（ｃ）のくじ券の第１及び第２の情報をＡ部から透視した部分透視図である。
【図４】（ａ）〜（ｃ）は本発明の第２の実施の形態のくじ券の製造方法を示す断面図である。
【図５】（ａ）〜（ｄ）は本発明の第３の実施の形態のくじ券の製造方法を示す断面図である。
【図６】（ａ）は図５（ｄ）のくじ券４２ｂをＢ部から観察した概略平面図、（ｂ）は図６（ａ）のくじ券の隠蔽層を除去したあとの様子を示す概略平面図である。
【符号の説明】
１０，１０ａ，１０ｂ：プラスチックフィルム〈第２の基材）
１２：第１の剥離層
１４，１４ａ，１４ｂ：保護層
１６，１６ａ，１６ｂ：絵柄層
１８，１８ｂ，１８ｄ：第１の隠蔽層
１８ａ，１８ｃ，１８ｅ：第２の隠蔽層
１９，１９ｂ，１９ｄ：第２の剥離層
１９ａ，１９ｃ，１９ｅ：第３の剥離層
２０，２０ａ，２０ｂ：接着層
２２：転写体
２２ａ，２２ｂ：第１の積層体
３０，３０ａ：基紙（第１の基材）
３２，３２ａ：注意書き
３４，３４ａ，３４ｂ：下地層
３６，３６ｂ，３６ｄ：第１の情報
３６ａ，３６ｃ，３６ｅ：第２の情報
３７：被転写体
３７ａ，３７ｂ：第２の積層体
３８：転写層
４２，４２ａ，４２ｂ：くじ券
【図１】
0004643835.tif 000002
【図２】
0004643835.tif 000003
【図３】
0004643835.tif 000004
【図４】
0004643835.tif 000005
【図５】
0004643835.tif 000006
【図６】
0004643835.tif 000007